(57)【要約】【課題】ポンプ内部作動音が小さく、しかも、ポンプ内部作動音がポンプ外部に漏れるのを防止可能で、静音性に優れた袋体へのエアー供給装置を提供する。【解決手段】エアー袋体Ｂにエアーを供給するためのポンプＰと、電動モータＭと、を備えた袋体へのエアー供給装置であって、ポンプＰは、エアーを吸込むための吸込孔部Ｐａと、エアーを吐出するための吐出孔部Ｐｂとを、備え、かつ、ポンプＰは、ポンプ室59を形成するための椀型ダイヤフラム部51を複数備え、さらに、ポンプＰは、吸込孔部Ｐａに、異物の侵入を防止するための防塵機能と、ポンプ内部作動音が外部に漏れるのを防止するための消音機能と、を発揮する吸込側フィルタＦａを介装した。【選択図】図１
2019052617.tif 000002
【特許請求の範囲】
【請求項１】
エアー袋体（Ｂ）にエアーを供給するためのポンプ（Ｐ）と、電動モータ（Ｍ）と、を備えた袋体へのエアー供給装置に於て、
上記ポンプ（Ｐ）は、エアーを吸込むための吸込孔部（Ｐａ）と、エアーを吐出するための吐出孔部（Ｐｂ）とを、備え、かつ、上記ポンプ（Ｐ）は、ポンプ室（59）を形成するための椀型ダイヤフラム部（51）を複数備え、
さらに、ポンプ（Ｐ）は、上記吸込孔部（Ｐａ）に、異物の侵入を防止するための防塵機能と、ポンプ内部作動音が外部に漏れるのを防止するための消音機能と、を発揮する吸込側フィルタ（Ｆａ）を介装したことを特徴とする袋体へのエアー供給装置。
【請求項２】
上記ポンプ（Ｐ）は、上記吐出孔部（Ｐｂ）に、ポンプ内部作動音が外部に漏れるのを防止するための消音用吐出側フィルタ（Ｆｂ）を介装している請求項１記載の袋体へのエアー供給装置。
【請求項３】
上記ポンプ（Ｐ）は、上記吐出孔部（Ｐｂ）の先端口部と、ポンプ室排気弁部（62）と、の間に、上記エアー袋体（Ｂ）からの衝撃圧が上記ポンプ室排気弁部（62）に作用するのを防止するための逆止弁部（60）を有する請求項１又は２記載の袋体へのエアー供給装置。
【発明の詳細な説明】
【技術分野】
【０００１】
本発明は、袋体へのエアー供給装置に関する。
【背景技術】
【０００２】
従来、エアークッションやエアーベッド等のエアー袋体に、エアーを供給するためのエアー供給装置は、ダイヤフラム部を有するポンプと、ポンプを駆動するための電動モータと、を備えていた（例えば特許文献１参照）。
【先行技術文献】
【特許文献】
【０００３】
【特許文献１】再公表特許ＷＯ２００５／０８５６３９号公報
【発明の概要】
【発明が解決しようとする課題】
【０００４】
しかし、従来のエアー供給装置は、ポンプ内のダイヤフラム部が１つの単気筒型であるため、ポンプ内部の作動音が大きく、しかも、ポンプの吸込口部は大気に開口しているから、その吸込口部から作動音が漏れて、騒音となるといった問題があった。
【０００５】
そこで、本発明は、ポンプ内部作動音が小さく、しかも、ポンプ内部作動音がポンプ外部に漏れるのを簡易な構造（部品）にて有効防止し、静音性に優れた袋体へのエアー供給装置の提供を目的とする。
【課題を解決するための手段】
【０００６】
本発明の袋体へのエアー供給装置は、エアー袋体にエアーを供給するためのポンプと、電動モータと、を備えた袋体へのエアー供給装置に於て、上記ポンプは、エアーを吸込むための吸込孔部と、エアーを吐出するための吐出孔部とを、備え、かつ、上記ポンプは、ポンプ室を形成するための椀型ダイヤフラム部を複数備え、さらに、ポンプは、上記吸込孔部に、異物の侵入を防止するための防塵機能と、ポンプ内部作動音が外部に漏れるのを防止するための消音機能と、を発揮する吸込側フィルタを介装したものである。
また、上記ポンプは、上記吐出孔部に、ポンプ内部作動音が外部に漏れるのを防止するための消音用吐出側フィルタを介装しているものである。
また、上記ポンプは、上記吐出孔部の先端口部と、ポンプ室排気弁部と、の間に、上記エアー袋体からの衝撃圧が上記ポンプ室排気弁部に作用するのを防止するための逆止弁部を有するものである。
【発明の効果】
【０００７】
本発明によれば、ポンプが、椀型ダイヤフラム部を複数有する複数気筒型であり、同等の流量（仕事量）を発揮する単気筒型に比べて、吐出エアーの圧力の高低変動が小さくなり、ポンプ内部作動音を小さくでき、静音性に優れる。さらに、ポンプ内部作動音が最も大気に漏洩しやすい吸込孔部から外部へ漏れるのを防止でき、より一層の静音性が得られる。しかも、吸込側フィルタは小さな部品でもって十分に上記の２つの機能を発揮させることが可能である。
【図面の簡単な説明】
【０００８】
【図１】本発明の袋体へのエアー供給装置の実施の一形態を示す使用状態説明図である。
【図２】ポンプ作動状態を示す断面側面図である。
【図３】ポンプ停止状態を示す断面側面図である。
【図４】分解斜視図である。
【図５】従来技術を説明するための使用状態説明図である。
【発明を実施するための形態】
【０００９】
以下、図示の実施形態に基づき本発明を詳説する。
本発明に係る袋体へのエアー供給装置は、図１に示すように、エアークッションやエアーベッド等のエアー袋体Ｂに配管部材10を介してエアーを供給するためのポンプＰと、ポンプＰを駆動するための短円柱状の小型の電動モータＭと、を備えている。
【００１０】
図１乃至図３に示すように、ポンプＰは、エアーを吸込むための吸込孔部Ｐａと、エアーを吐出するための１つの吐出孔部Ｐｂと、複数の椀型ダイヤフラム部51と、各椀型ダイヤフラム部51により形成されるポンプ室59と、各ポンプ室59に対応するポンプ室吸気弁部61と、各ポンプ室59に対応するポンプ室排気弁部62と、を有し、電動モータＭの駆動によって、複数のポンプ室59が、順次、膨張と圧縮を繰り返すようにして、エアーを定量的に吐出するように構成した複数気筒型である。
【００１１】
このように、複数の椀型ダイヤフラム部51を有するポンプＰ（複数気筒型のポンプＰ）は、小型でありながら、エアー袋体Ｂを膨張させるのに十分な吐出圧（圧送量）を発生させることができると共に、安定した吐出を実現できる。また、ダイヤフラムが１つの単気筒型と比べて、脈動や振動が少なく、静音性も優れる。つまり、エアー袋体Ｂを使用する人が、不快な音や振動を気にせず、リラックスできる。
【００１２】
さらに、ポンプＰは、吸込孔部Ｐａに、異物の侵入を防止するための防塵機能と、ポンプ内部作動音が外部（ポンプ外部）に漏れるのを防止するための消音機能と、を発揮する吸込側フィルタＦａを介装している。
【００１３】
吸込側フィルタＦａは、小さなブロック型のもので十分であって、通気性を有し、かつ、防塵機能と消音（吸音）機能を発揮可能なものであれば良い。例えば、樹脂製繊維や金属製繊維、炭素繊維等を、不織布や編物や織物等に加工したものである。特に、樹脂製繊維を不織布（フェルト）加工したものが望ましい。樹脂製繊維としては、ポリエステル繊維や、ＰＥＴ（ポリエチレン・テレフタレート）繊維が好ましい。
【００１４】
そして、ポンプＰは、吐出孔部Ｐｂの基端口部に、ポンプ内部作動音が外部（ポンプ外部）に漏れるのを防止するための消音用吐出側フィルタＦｂを介装している。
【００１５】
吐出側フィルタＦｂは、通気性を有し、かつ、消音（吸音）機能を発揮可能なものであれば良い。例えば、樹脂製繊維や金属製繊維、炭素繊維等を、不織布や編物や織物等に加工したものである。特に、樹脂製繊維を不織布（フェルト）加工したものが望ましい。樹脂製繊維としては、ポリエステル繊維や、ＰＥＴ（ポリエチレン・テレフタレート）繊維が好ましい。
また、吐出側フィルタＦｂは、エアー袋体Ｂに人等によって急激な荷重がかかった場合に、エアー袋体Ｂから逆流してくるエアーによって異物（エアー袋体Ｂや配管部材10内に予め混入していた異物）が侵入するのを防止するために、防塵機能を発揮するものが望ましい。
【００１６】
さらに、ポンプＰは、吐出孔部Ｐｂの先端口部（出口部）と、ポンプ室排気弁部62（以下、排気弁部62と呼ぶ場合がある）と、の間に、エアー袋体Ｂからの衝撃圧（エアー袋体Ｂに人等によって急激な荷重がかかった場合に、エアー袋体Ｂから逆流してくるエアーによる瞬間的な強い圧力）が排気弁部62に作用するのを防止するための逆止弁部60を、有している。
【００１７】
逆止弁部60は、吐出孔部Ｐｂの基端口部近傍において、吐出側フィルタＦｂの裏面側（吐出側フィルタＦｂよりもポンプ内部側）に設けている。
【００１８】
ここで、ポンプＰは、吐出孔部Ｐｂの基端口部近傍に、その基端口部に施蓋状に配設される逆止用の隔壁部91ｄを有している。隔壁部91ｄは、吐出孔部Ｐｂと吐出流路空間63とを区切るように設けている。そして、隔壁部91ｄに、吐出孔部Ｐｂと吐出流路空間63とを連通させるための逆止用通気孔60ｃを貫設している。
【００１９】
つまり、逆止弁部60は、隔壁部91ｄに取着する傘状の逆止用弁体65の逆止用弁膜部（傘部）60ａと、逆止用弁膜部60ａが密着分離自在に接触する逆止用弁座部60ｂと、から成る。
逆止用弁座部60ｂは、隔壁部91ｄの表て面（軸心一方向Ｌ１側の面）において逆止用通気孔60ｃの吐出開口縁近傍の領域である。
【００２０】
つまり、図２に示すように、ポンプ作動中において、ポンプ室59から排気弁部62を介して吐出流路空間63に流入したエアーが、逆止用弁膜部60ａを逆止用弁座部60ｂから離間させて逆止用通気孔60ｃを開放状態として、吐出孔部Ｐｂへ流れる。つまり、逆止弁部60は、吐出流路空間63から吐出孔部Ｐｂへ一方通行に流れるように働く。
【００２１】
そして、図３に示すように、ポンプ停止中において、逆止弁部60は、逆止用弁膜部60ａの弾性力（弾発的復元力）により、逆止用弁座部60ｂに密着して逆止用通気孔60ｃを閉塞状態にする。つまり、エアー袋体Ｂからの衝撃圧が排気弁部62に作用する（悪影響を与える）のを防止する。
【００２２】
ここで、図５に示す従来のエアー供給装置は、エアー袋体Ｂと、従来のポンプＰ´の間に、逆止弁配管部材99を設ける必要があった。なお、図５に於て、Ｐｂ´は吐出孔部であり、Ｐａ´は吸込孔部である。
本発明の袋体へのエアー供給装置は、ポンプＰの内部に逆止弁部60を有しているので、従来のような逆止弁配管部材99を設ける必要が無くなり、エアー袋体Ｂとの配管作業を容易かつ迅速に行うことが可能となる。
【００２３】
ポンプＰについて、さらに具体的に説明すると、図２乃至図４に示すように、電動モータＭの表て面に固着されると共に吸込孔部Ｐａを有する有底矩形筒状のケース部材１と、駆動軸Ｍａに固着される回転部材２と、回転部材２の差込凹部21に傾斜状に差し込まれ一軸心Ｌｐ廻りに回転（旋回）する軸部材３と、複数の椀型ダイヤフラム部51を一体状に有するダイヤフラム集合体５と、ダイヤフラム集合体５のダイヤフラム駆動（軸）部52が取着される接続部41を放射状に有する揺動部材４と、ダイヤフラム集合体５の横隔膜部53の裏面を軸心他方向Ｌ２側（電動モータＭ側）から支持するリテーナ部材６と、椀型ダイヤフラム部51と共にポンプ室59を形成する中蓋部材（弁保持部材）７と、中蓋部材７に取着され各ポンプ室59に対応する傘状の複数の吸気弁体66と、中蓋部材７に取着され各ポンプ室59に対応する傘状の複数の排気弁体67と、中蓋部材７と共に吐出流路空間部63を形成すると共に吐出孔部Ｐｂを有する外蓋部材９と、中蓋部材７と外蓋部材９の間に介装されるパッキン部材８と、を備えている。
【００２４】
なお、説明を容易にするために、駆動軸Ｍａの突出方向を軸心一方向Ｌ１と呼び、反対方向を軸心他方向Ｌｂと呼ぶ場合がある。また、各部材（部品）の軸心一方向Ｌ１側の端面を表て面、軸心他方向Ｌ２側の端面を裏面と呼ぶ場合がある。
【００２５】
ダイヤフラム集合体５は、ゴム製であって、４つの椀型ダイヤフラム部51が一軸心（ポンプ軸心）Ｌｐ廻りに円周等分配に配設され、軸心直交する面状の横隔膜部53によって一体状に連結されている。また、各椀型ダイヤフラム部51を圧縮・膨張させるためのダイヤフラム駆動（軸）部52が椀型ダイヤフラム部51から軸心他方向Ｌ２に突設されている。また、中央部に、吸気エアーが通過するための（吸気用流路を形成するための）貫通孔54を有している。
【００２６】
ケース部材１は、電動モータＭ側の角壁部に、ケース内部と外部とを一軸心Ｌｐに沿って連通する吸込孔部Ｐａを有している。
ケース部材１は、有底矩形筒状のケース本体11と、ケース本体11の角壁部に開口している吸込孔部形成用の貫孔11ａに内嵌状に配設される吸込側フィルタＦａと、ケース本体11の貫孔11ａに固着して吸込側フィルタＦａが脱落するのを防止するキャップ部材12と、を備えている。キャップ部材12は、ケース本体11の貫孔11ａと共に吸込孔部Ｐａを形成するための貫孔12ａを有している。
【００２７】
外蓋部材９は、キャップ形状（有蓋筒状）の外蓋本体91と、外蓋本体91の隔壁部91ｄに取着する逆止用弁体65と、外蓋本体91の天井壁部に設けた吐出孔部形成用の凹部91ａに施蓋状に固着する吐出筒口部材92と、を備えている。吐出筒口部材92は、吐出孔部Ｐｂを形成するための円筒部92ｂを有している。吐出孔部Ｐｂは、外蓋本体91の隔壁部91ｄよりも軸心一方向Ｌ１側に設けた凹部と、吐出筒口部材92の円筒部92ｂによって形成されている。
【００２８】
中蓋部材７は、吸気弁体66と排気弁体67とが取着する中蓋本体71と、中蓋本体71に固着して吸込流路空間64を形成するための軸心直交面状の仕切板72と、を備えている。
【００２９】
中蓋本体71は、中央部に吸込流路を形成するための貫通孔71ａと、貫通孔71ａ近傍に配設されポンプ室吸気弁部61に夫々対応する複数の吸気用通気孔61ｃと、吸気用通気孔61ｃよりもラジアル外方位置に配設され排気弁部62に夫々対応する複数の排気用通気孔62ｃと、が貫設されている。さらに、中蓋本体71は、貫通孔71ａと複数の吸気用通気孔61ｃとを包囲するように、軸心一方向Ｌ１へ突出する環状壁部71ｄを有している。環状壁部71ｄの先端部に仕切板材72が固着する。
中蓋部材７は、中蓋本体71の表て面と、環状壁部71ｄの内面と、仕切板72の裏面とで包囲された吸込流路空間64を形成する。
【００３０】
ポンプ室吸気弁部61（以下、吸気弁部61と呼ぶ場合もある）は、傘状の吸気弁体66の吸気用弁膜部（傘部）と、吸気用弁膜部が密着分離自在に接触する吸気用弁座部と、から成る。
吸気用弁座部は、中蓋部材７の裏面において吸気用通気孔61ｃの吸気開口縁近傍の領域である。
【００３１】
排気弁部62は、傘状の排気弁体67の排気用弁膜部（傘部）と、排気用弁膜部が密着分離自在に接触する排気用弁座部と、から成る。
排気用弁座部は、中蓋部材７の表て面において排気用通気孔62ｃの排気開口縁近傍の領域である。
【００３２】
そして、ポンプＰは、駆動軸Ｍａの回転によって、回転部材２が回転して、軸部材３が円錐面状の軌跡を描いて（擂粉木状運動して）、揺動部材４の接続部41が往復揺動し、各ダイヤフラム駆動部52をピストン（往復）運動させて、各ポンプ室59が、順次、圧縮（縮小）と膨張（拡大）を繰り返すように構成している。
【００３３】
そして、ポンプＰは、外部のエアーを、吸込孔部Ｐａから吸込む。吸込んだエアーは、ダイヤフラム集合体５の裏面とリテーナ部材６とケース部材１とで囲まれた（ダイヤフラム駆動部52等が駆動する）駆動空間68に侵入し、リテーナ部材６の中央部に貫設した孔部６ａと、中蓋部材７の貫通孔71ａとを介して、中蓋部材７の吸込流路空間64に流入し、吸気弁部61と吸気用通気孔61ｃを介してポンプ室59へ流れる。
【００３４】
ポンプ室59内のエアーは、排気用通気孔62ｃと排気弁部62を介して、中蓋部材７の表て面とパッキン部材８と外蓋部材９の裏面とで包囲された吐出流路空間63に流れ、逆止用通気孔60ｃと逆止弁部60とを介して、吐出孔部Ｐｂへ流れ、ポンプ外部へ吐出する。
【００３５】
また、ポンプＰと、円柱状の電動モータＭとは、同軸心状（上）に、一体状に固着されて、全体として円柱形状を形成している。ポンプＰの軸心（一軸心）Ｌｐは、電動モータＭの駆動軸Ｍａの軸心ともいえる。
【００３６】
なお、本発明は、設計変更可能であって、椀型ダイヤフラム部51（ポンプ室59）は、図例のような４つの場合に限らず３つとするも良い。吐出流路空間部63や吸入用流路の構造（経路）は自由であって、例えば、吸込孔部Ｐａを外蓋部材９に設けても良い。逆止弁部60、ポンプ室吸気弁部61、ポンプ室排気弁部62の弁構造は、自由であって、傘状弁体を用いず、板状の舌片状弁体や円筒膜状弁体を用いた弁構造とするも良い。
【００３７】
以上のように、本発明の袋体へのエアー供給装置は、エアー袋体Ｂにエアーを供給するためのポンプＰと、電動モータＭと、を備えた袋体へのエアー供給装置に於て、上記ポンプＰは、エアーを吸込むための吸込孔部Ｐａと、エアーを吐出するための吐出孔部Ｐｂとを、備え、かつ、上記ポンプＰは、ポンプ室59を形成するための椀型ダイヤフラム部51を複数備え、さらに、ポンプＰは、上記吸込孔部Ｐａに、異物の侵入を防止するための防塵機能と、ポンプ内部作動音が外部に漏れるのを防止するための消音機能と、を発揮する吸込側フィルタＦａを介装したので、大気に開口した吸込孔部Ｐａからは最もポンプ内部作動音（騒音）が漏洩しやすいが、この吸込孔部Ｐａから漏洩する騒音を、吸込側フィルタＦａによって、効率良く十分に低減でき、小さな部品（吸込側フィルタＦａ）によって装置全体の静粛（静音）性を得ることが可能となった。さらに、ポンプＰが、椀型ダイヤフラム部51を複数有する複数気筒型であり、同等の流量（仕事量）を発揮する単気筒型に比べて、吐出エアーの圧力高低変動が小さくでき、ポンプ内部作動音を小さくでき、静音性に優れる。また、小さな部品（吸込側フィルタＦａ）によって、異物の混入も防止でき耐久性を向上できる（故障が少ない）。特に、エアー袋体Ｂを使用する人が、不快な騒音や振動を気にせず、リラックスできる。
【００３８】
また、上記ポンプＰは、上記吐出孔部Ｐｂに、ポンプ内部作動音が外部に漏れるのを防止するための消音用吐出側フィルタＦｂを介装しているので、より一層の静音性を得ることができる。
【００３９】
また、上記ポンプＰは、上記吐出孔部Ｐｂの先端口部と、ポンプ室排気弁部62と、の間に、上記エアー袋体Ｂからの衝撃圧が上記ポンプ室排気弁部62に作用するのを防止するための逆止弁部60を有するので、ポンプ室排気弁部62への悪影響を防止でき、故障の発生を低減できる。エアー袋体ＢとポンプＰとの間に、逆止弁配管部材99（図５参照）が省略できて、配管部材10を簡素なものにでき、配管作業を容易かつ迅速に行うことができる。
【符号の説明】
【００４０】
51  椀型ダイヤフラム部
59  ポンプ室
60  逆止弁部
62  ポンプ室排気弁部
Ｂ  エアー袋体
Ｆａ  吸込側フィルタ
Ｆｂ  吐出側フィルタ
Ｍ  電動モータ
Ｐ  ポンプ
Ｐａ  吸込孔部
Ｐｂ  吐出孔部
【図１】
2019052617.tif 000003
【図２】
2019052617.tif 000004
【図３】
2019052617.tif 000005
【図４】
2019052617.tif 000006
【図５】
2019052617.tif 000007